(57)【要約】      （修正有）【課題】余分な振動音を抑えながら余振動音が出ない場合は、振動板の高いストロークを実現するスピーカボックスを可能とする高ストローク低減余振動スピーカボックスを提供する。【解決手段】音響入力信号を入力端子１からＡＦアンプ２を介して、コンデンサマイクロホン６から拾ったノイズ音を逆位相反転回路８で反転させてＡＦアンプ２と同時に打消し波形合成回路９に入力する。さらに、ノイズ音の有無により切り換えモードプロセッサ部１０で判断、直流電圧或いは制動させる打消し波形合成回路９の出力で制動コイル４から振動板５に密着したアルミ薄膜板１３を逆方向或いは順方向に力を作用させて余振動音を抑えるとともにストローク効率を高めた高ストローク低減余振動スピーカボックスとする。【選択図】図１
0003180273.tif 000002
【実用新案登録請求の範囲】
【請求項１】
音響信号を入力端子からムービングコイルにＡＦアンプを介して、スピーカボックス部の箱に設けたコンデンサマイクロホンから拾ったノイズ及び音響信号の混合した電気信号からオーデイオ信号などの電気信号と、コンデンサマイクロホンの出力を逆位相させる逆相波形回路で位相反転、この出力信号とＡＦアンプから音響信号を同時に打消し回路で波形どうしの重ね合わせにて切り換えモードプロセッサ部で出力信号の有無を検知して電子リレー部を介して制動コイルに振動板に設けたアルミ薄膜板に直流又は制御する電気信号で余分な振動音を無くすことを特徴とする高ストローク低減余振動スピーカボックス。
【請求項２】
外部にノイズ音響が出ない場合、切り換えモードプロセッサにより直流端子から直流電圧が、電子リレーを介して制動コイルへ加わえるようにスピーカのストローク率を高めることを特徴とする請求項１記載の高ストローク低減余振動スピーカボックス。
【考案の詳細な説明】
【技術分野】
【０００１】  本考案は、音響スピーカボックスにおいて、余分な共振音の出ない高効率スピーカを最大限に活用できる音響箱の装置に関するものである。
【背景技術】
【０００２】音響電気信号を入力する場合、音響スピーカボックス内で、スピーカの振動板の発生する振動と共鳴箱との振動数の違いから唸りが出る問題があり不調和の振動音が聴こえるためスピーカの効率を妨げる問題があった。【０００３】スピーカの振動が効率良く振動しても、音響箱の容量などの制約が掛かり低音域、例えば２０ヘルツ程度の重低音の再生が難しく原音に程遠い模擬音響の再生しかできない問題が或る。【０００４】最近音響ステレオの小型化が必要性を重視されている為、音響箱の小型化が求められている。しかも音響性能を高めていくことも要求されており、技術開発が求められている。
【考案の開示】
【考案が解決しようとする課題】
【０００５】従って、音響電気信号のスピーカへ入力する場合、外部で高性能のマイクで音を拾い、入力された信号と比較して誤差信号を検出、スピーカ振動を制動することで余計な振動を抑えることや誤差振動が少ない場合、スピーカ効率を高めるため振動板前方に電磁石等でストローク率を高めた再生を可能とする高ストローク低減振動スピーカボックスを提供することを目的とするものである。
【課題を解決するための手段】
【０００６】本考案の請求項１記載の高ストローク低減余振動スピーカボックスは、音響入力信号を入力端子からムービングコイルにＡＦアンプを介して、一方スピーカボックスのキャビネットに設けたコンデンサマイクロホンから拾ったノイズ及び音響信号の混合した電気信号から、音響信号が入力された電気信号と、コンデンサマイクロホンの出力を逆位相反転回路から位相反転後、この信号とＡＦアンプからの音響信号を同時に打消し波形合成回路へ入力し、混合されてノイズ信号のみ制動コイルに入りノイズを振動板に設けたアルミ薄板に逆方向の力を加えて余分な振動音が出ないようにすることを特徴としたものである。【０００７】本考案の請求項２記載の高ストローク低減余振動スピーカボックスは、請求項１において、外部にノイズ音響が出ない場合、切り換えモードプロセッサにより直流端子から直流電圧が、電子リレーを介して制動コイルへ加えるようにスピーカのストローク率を高めることを特徴としたものである。
【考案の効果】
【０００８】音響が、スピーカボックスから出てくる際に、余分な振動音が出てくる場合は、その音を制動コイルで外部に出ないようにしてそれ以外には制動コイルに直流電圧が掛けられてスピーカのストローク効率を高めて低音域の伸びを強化することが出来る。
【考案を実施するための形態】
【０００９】以下、本考案の実施の一形態を図１から図３を参照しながら説明する。図１は、音響ボックス内の電気回路の構成の図である。１は、入力端子でオーディオ信号を入力する。２ＡＦアンプに接続されて増幅されて出力を３ムービングコイルに接続されている。
【００１０】ムービングコイル３は、振動板１２に密着されている。これにより音に変換されて外部に出る音響を集音面に設けた６コンデンサマイクロホンで音を拾い７マイクロホンアンプに接続されており増幅されて８逆位相反転回路に接続されて６コンデンサマイクから拾った音の波形を反転させる。一方２ＡＦアンプからの出力信号を８逆位相反転回路からの出力とともに９打消し波形合成回路に加える。９打消し波形合成回路からの信号は１０切り換えモードプロセッサ部で誤差信号に相当する歪信号が、あるか無いかを判断する。
【００１１】一方、２ＡＦアンプから１６の第１電子リレー部に接続して、１０切り換えモードプロセッサ部で歪信号の有の状態である判断がされると１６の第１電子リレー部は開き、９打消し波形合成回路からの信号が通過して４制動コイルに出力する。
【００１２】４制動コイルは１３アルミ薄膜板に対して、制動力を３ムービングコイルの運動方向と逆方向に制動させて余分な振動音を出さないようにする。
【００１３】図２において、３ムービングコイルと４制動コイルと１５ドライブマグネットの作用を示す図である。仮に図のように３ムービングコイルに磁極が１５ドライブマグネットに磁極と反発して左右方向に動くことを考えると３ムービングコイルの磁極と反対向きに４制動コイルは働くので制動力となり反対方向に作用する。Ｐ入力である場合である。これは、第１電子リレー部が開いた時に誤差信号が入る場合である。
【００１４】次に図１で９切り換えモードプロセッサ部が誤差信号を検知しない場合、直流端子へ直流が加えられており１７の第２電子リレー部を介して直流が４制動コイルを電磁石にかえてムービングコイル部の振り幅を大きくする。これで１２振動板のストローク効率が高くなる。
【００１５】これにより、Ｑ入力で制動コイル部は３ムービングコイルと同じ向き力が働き、高能率的に振動板が動くことで重低音域音が再生ができる。
【００１６】図３において、外部音はノイズ音とオーディオ出力が混合されており、マイクで拾い１１電子回路ブロック部で処理されてスピーカに設けた３ムービングコイル及び１２振動板からの音圧と４制動コイルの制動力が余計な振動をスピーカボックスの置かれてある部屋の空間に音響として外部に出てくることを防いでいる。
【図面の簡単な説明】
【００１７】
【図１】本考案のスピーカボックスの全体の構成の図である。
【図２】制動コイル部とムービングコイルの作用を示す図である。
【図３】外部へ出るノイズ制御回路の図である。
【符号の説明】
【００１８】１    入力端子
２    ＡＦアンプ
３    ムービングコイル
４    制動コイル
５    ドライブマグネット
６    コンデンサマイクロホン
７    マイクロホンアンプ
８    逆位相反転回路
９    打消し波形合成回路
１０  切り換えモードプロセッサ
１１  電子回路ブロック部
１２  振動板
１３  アルミ薄膜板
１４  スピーカボックス部
１５  ドライブマグネット
１６  第１の電子リレー
１７  第２の電子リレー
【図１】
0003180273.tif 000003
【図２】
0003180273.tif 000004
【図３】
0003180273.tif 000005